(57)【要約】【課題】開閉窓の構造を有しつつ障子を枠体に対し開閉不能となるように強固に引き寄せて固定することのできる嵌め殺し窓を提供する。【解決手段】障子５１の框体５３は開閉窓用支持アーム５２を介して枠体５０に取付けられ、框材には室内側に向かって突出する突出片を備えた取付金具が設けられ、取付金具は室内側部に第１傾斜面部を備え、第１傾斜面部は框体の中央室外側に面する傾斜状に形成され、取付金具に対してはこれを枠体に対して固定する固定金具が取付けられ、固定金具は取付金具の室内側部と対向する位置に第２傾斜面部を備え、第２傾斜面部は第１傾斜面部と同じ方向で略同じ傾きの傾斜状に形成され、固定金具を取付金具及び枠体に対して固定することにより、取付金具が設けられた障子を室内側に引き寄せて枠体に対し開閉不能に固定してなる。【選択図】図４
2008274687.tif 000002
【特許請求の範囲】
【請求項１】
建物開口部に取付けられる枠体内に、框体にパネル体を納めてなる障子を装着してなる嵌め殺し窓において、
前記障子の框体は開閉窓用支持アームを介して前記枠体に取付けられ、前記框体を構成する框材には室内側に向かって突出する突出片を備えた取付金具が設けられ、該取付金具は室内側部に第１傾斜面部を備え、該第１傾斜面部は前記框体の中央室外側に面する傾斜状に形成され、
前記取付金具に対してはこれを前記枠体に対して固定する固定金具が取付けられ、該固定金具は前記取付金具の室内側部と対向する位置に第２傾斜面部を備え、該第２傾斜面部は前記第１傾斜面部と同じ方向で略同じ傾きの傾斜状に形成され、
前記第２傾斜面部が前記第１傾斜面部に対して前記框体の中央側から当接するように前記固定金具を前記取付金具及び枠体に対して固定することにより、前記取付金具が設けられた障子を室内側に引き寄せて前記枠体に対し開閉不能に固定してなることを特徴とする嵌め殺し窓。
【請求項２】
前記第１傾斜面部と第２傾斜面部はそれぞれ弾性を有するように形成されることを特徴とする請求項１記載の嵌め殺し窓。
【請求項３】
前記枠体は室内側の内周面に溝部を有し、前記取付金具は室内側部が前記溝部に配置され、前記固定金具は前記溝部内で前記取付金具及び枠体に対してビス止め固定されることを特徴とする請求項１または２記載の嵌め殺し窓。
【請求項４】
前記固定金具は前記溝部の室外側側壁に当接する室外当接面部と、該室外当接面部と略直交し前記第２傾斜面部を備えた固定面部とを有することを特徴とする請求項３記載の嵌め殺し窓。
【請求項５】
前記溝部にはその開口部を覆うカバー材が取付けられることを特徴とする請求項３または４記載の嵌め殺し窓。
【発明の詳細な説明】
【技術分野】
【０００１】
本発明は、枠体内に障子を開閉不能に装着した嵌め殺し窓に関し、特に障子が枠体に対し開閉窓用支持アームによって支持されているものを開閉不能となるように固定した嵌め殺し窓に関する。
【背景技術】
【０００２】
従来、建物開口部に対して取付けられた枠体内に、框体にパネル体を納めてなる障子を装着した窓が知られている。このような窓は、障子が開かないように嵌め殺し窓とすることもできるし、障子が開閉できる開閉窓とすることもできる。開閉窓とする場合には、障子は枠体に対して開閉窓用支持アームによって支持される。
【０００３】
また、窓を縦方向に連設した段窓、あるいは窓を横方向に連設した連窓も従来から知られている。この場合に、隣接する窓の種類を、一方を開き窓に、他方を嵌め殺し窓とすることも、広く行われている。例えば、段窓において上方に配置される窓を開閉窓とし、下方に配置される窓を嵌め殺し窓とするといった配置がなされる。この場合、隣接する２つの窓の外観を合わせて統一感を持たせるため、嵌め殺し窓についても、障子を枠体に対して開閉窓用支持アームによって支持する構造とし、障子が枠体に対して開閉不能となるように固定するようにしていた。このようにして用いられる嵌め殺し窓としては、例えば特許文献１に挙げるようなものがある。
【特許文献１】特開２００４−１８３２８７号公報
【発明の開示】
【発明が解決しようとする課題】
【０００４】
開閉窓の構造を有した嵌め殺し窓においては、障子を枠体に対して開閉不能となるように強固に固定しておくことが必要となる。このために従来の嵌め殺し窓においては、枠体と障子にラッチ構造を設けて、これを係合させることによって障子を枠体に固定するようにしていた。しかし、ラッチ構造だけで障子を固定した場合、障子を枠体側に強固に引き寄せることができず、固定強度を充分に確保できないことがあった。障子が枠体に対して強固に固定されていないと、障子と枠体の間に隙間が生じて気密性や水密性が悪化する。また最悪の場合には障子が開いてしまうおそれもある。
【０００５】
本発明は、前記課題を解決すべくなされたものであり、開閉窓の構造を有しつつ障子を枠体に対し開閉不能となるように強固に引き寄せて固定することのできる嵌め殺し窓を提供することを目的とする。
【課題を解決するための手段】
【０００６】
上記課題を解決するため、本発明に係る嵌め殺し窓は、建物開口部に取付けられる枠体内に、框体にパネル体を納めてなる障子を装着してなる嵌め殺し窓において、
前記障子の框体は開閉窓用支持アームを介して前記枠体に取付けられ、前記框体を構成する框材には室内側に向かって突出する突出片を備えた取付金具が設けられ、該取付金具は室内側部に第１傾斜面部を備え、該第１傾斜面部は前記框体の中央室外側に面する傾斜状に形成され、
前記取付金具に対してはこれを前記枠体に対して固定する固定金具が取付けられ、該固定金具は前記取付金具の室内側部と対向する位置に第２傾斜面部を備え、該第２傾斜面部は前記第１傾斜面部と同じ方向で略同じ傾きの傾斜状に形成され、
前記第２傾斜面部が前記第１傾斜面部に対して前記框体の中央側から当接するように前記固定金具を前記取付金具及び枠体に対して固定することにより、前記取付金具が設けられた障子を室内側に引き寄せて前記枠体に対し開閉不能に固定してなることを特徴として構成されている。
【０００７】
また、本発明に係る嵌め殺し窓は、前記第１傾斜面部と第２傾斜面部はそれぞれ弾性を有するように形成されることを特徴として構成されている。
【０００８】
さらに、本発明に係る嵌め殺し窓は、前記枠体は室内側の内周面に溝部を有し、前記取付金具は室内側部が前記溝部に配置され、前記固定金具は前記溝部内で前記取付金具及び枠体に対してビス止め固定されることを特徴として構成されている。
【０００９】
さらにまた、本発明に係る嵌め殺し窓は、前記固定金具は前記溝部の室外側側壁に当接する室外当接面部と、該室外当接面部と略直交し前記第２傾斜面部を備えた固定面部とを有することを特徴として構成されている。
【００１０】
そして、本発明に係る嵌め殺し窓は、前記溝部にはその開口部を覆うカバー材が取付けられることを特徴として構成されている。
【発明の効果】
【００１１】
本発明に係る嵌め殺し窓によれば、障子の框体は開閉窓用支持アームを介して枠体に取付けられ、框体を構成する框材には室内側に向かって突出する突出片を備えた取付金具が設けられ、取付金具は室内側部に第１傾斜面部を備え、第１傾斜面部は框体の中央室外側に面する傾斜状に形成され、取付金具に対してはこれを枠体に対して固定する固定金具が取付けられ、固定金具は取付金具の室内側部と対向する位置に第２傾斜面部を備え、第２傾斜面部は第１傾斜面部と同じ方向で略同じ傾きの傾斜状に形成され、第２傾斜面部が第１傾斜面部に対して框体の中央側から当接するように固定金具を取付金具及び枠体に対して固定することにより、取付金具が設けられた障子を室内側に引き寄せて枠体に対し開閉不能に固定してなることにより、第１傾斜面部と第２傾斜面部により固定金具が障子を室内側に引き寄せて固定されるので、開閉窓用支持アームにより障子を支持した窓において、障子を枠体に対し開閉不能となるように強固に固定することができる。
【００１２】
また、本発明に係る嵌め殺し窓によれば、第１傾斜面部と第２傾斜面部はそれぞれ弾性を有するように形成されることにより、第２傾斜面部により第１傾斜面部を円滑に室内側に引き寄せることができる。
【００１３】
さらに、本発明に係る嵌め殺し窓によれば、枠体は室内側の内周面に溝部を有し、取付金具は室内側部が溝部に配置され、固定金具は溝部内で取付金具及び枠体に対してビス止め固定されることにより、取付金具や固定金具などを溝部内に配置して外側から見えにくくすることができるので、意匠性を向上させることができる。
【００１４】
さらにまた、本発明に係る嵌め殺し窓によれば、固定金具は溝部の室外側側壁に当接する室外当接面部と、室外当接面部と略直交し第２傾斜面部を備えた固定面部とを有することにより、室外当接面部を溝部の室外側側壁に当接させた状態で、第２傾斜面部と第１傾斜面部を当接させることにより、容易に第１傾斜面部を室内側に引き寄せることができる。
【００１５】
そして、本発明に係る嵌め殺し窓によれば、溝部にはその開口部を覆うカバー材が取付けられることにより、取付金具や固定金具などを見えないように覆うことができるので、意匠性をさらに向上させることができる。
【発明を実施するための最良の形態】
【００１６】
本発明の実施形態について、図面に沿って詳細に説明する。図１には本実施形態における嵌め殺し窓と開閉窓とからなる段窓の縦断面図を、図２には開閉窓部分の横断面図を、図３には嵌め殺し窓部分の横断面図を、それぞれ示している。これら各図に示すように、本実施形態における段窓は、建物開口部の上部に開閉窓として縦辷り出し窓１が配置され、その下方部には縦辷り出し窓１の構造を有した嵌め殺し窓２が配置され、これらが中間枠３によって上下に連結されて構成されている。中間枠３は、金属部３ａとその室内側露出面を覆う樹脂カバー部３ｂとからなり、縦辷り出し窓１と嵌め殺し窓２は、それぞれ中間枠３の金属部３ａに対して固定される。
【００１７】
まず上部の縦辷り出し窓１について説明する。縦辷り出し窓１は、建物開口部に取付けられる枠体１０内に支持アーム１２を介し障子１１を開閉自在に装着して構成される。障子１１は、図２における右側位置に操作ハンドル１５を備えている。また、障子１１の全体が上辺と下辺の支持アーム１２に支持されており、操作ハンドル１５を備えた側が戸先側、それと反対側が吊元側となっている。そして、操作ハンドル１５を室外側に向かって押すと、戸先側が室外側に向かって開くようにされている。
【００１８】
枠体１０は、中間枠３を下枠とし、これと上枠２０及び左右の縦枠２２、２２を方形状に枠組みしてなるものである。これら枠材は、金属材に対しその室内側露出部分を覆う樹脂材が配設されてなる複合材によって構成されている。上枠２０は、金属材として設けられる金属上枠２０ａと、樹脂材として設けられる樹脂上枠２０ｂとから構成されている。また同様に縦枠２２は金属縦枠２２ａと樹脂縦枠２２ｂとから構成されている。
【００１９】
また、枠体１０を構成する各樹脂材には、内周面に溝部４０が形成されている。溝部４０は枠体１０の四周に渡って設けられ、この溝部４０内には可動式の網戸４１が伸縮自在に納められる。網戸４１は、蛇腹状に形成されており、障子１１の室内側において左右に伸縮することにより、開閉することができる。
【００２０】
障子１１は、上框３０と下框３１及び左右の縦框３２、３２を方形状に框組みしてなる框体１３内にパネル体としてガラス体１４を納めてなるものである。框体１３を構成する框材は、枠材と同様に金属材に対しその室内側露出部分を覆う樹脂材が配設されてなる複合材によって構成されている。上框３０は金属上框３０ａと樹脂上框３０ｂとから、下框３１は金属下框３１ａと樹脂下框３１ｂとから、縦框３２は金属縦框３２ａと樹脂縦框３２ｂとから、それぞれ構成されている。
【００２１】
一方の縦框３２の室内面に設けられる操作ハンドル１５は、縦框３２の外周面に設けられる可動突起部３５と連係している。可動突起部３５は、操作ハンドル１５を回動操作するのに伴って、縦枠２２の内周面に設けられるロック部２５に対して係脱自在とされており、障子１１が閉じた状態において、障子１１を枠体１０に対して開かないようにロックしておくことができる。操作ハンドル１５を回動操作し、可動突起部３５のロック部２５に対する係合状態を解除した上で、操作ハンドル１５を室外側に押圧操作することにより、障子１１を開くことができる。
【００２２】
次に、下部の嵌め殺し窓２について説明する。嵌め殺し窓２は、建物開口部に取付けられる枠体５０内に支持アーム５２を介し障子５１を開閉不能に装着して構成される。枠体５０及び障子５１は、それぞれ金属材の室内側露出部分を覆うように樹脂材を設けた複合材によって構成されている。
【００２３】
枠体５０は、中間枠３を上枠とし、これと下枠６１及び左右の縦枠６２、６２を方形状に枠組みしてなり、下枠６１は金属下枠６１ａと樹脂下枠６１ｂにより、縦枠６２は金属縦枠６２ａと樹脂縦枠６２ｂにより、それぞれ構成される。
【００２４】
また、枠体５０を構成する各樹脂材には、縦辷り出し窓１と同様に、内周面に四周に渡り溝部８０が形成されている。嵌め殺し窓２には網戸は設けられないので、溝部８０が室内側から見えないように、溝部８０の開口部には、カバー材８１が取付けられる。カバー材８１の内周面は、枠体５０を構成する各樹脂材の内周面と面一状となるように形成されており、美観を良好にすることができる。
【００２５】
障子５１は、上框７０と下框７１及び左右の縦框７２、７２を方形状に框組みしてなる框体５３内にパネル体としてガラス体５４を納めてなり、上框７０は金属上框７０ａと樹脂上框７０ｂにより、下框７１は金属下框７１ａと樹脂下框７１ｂにより、縦框７２は金属縦框７２ａと樹脂縦框７２ｂにより、それぞれ構成される。
【００２６】
嵌め殺し窓２は、障子５１が枠体５０に対し、開閉不能となるように固定されているので、その固定構造について詳細に説明する。障子５１は、縦框７２に取付けられる取付金具８２が、縦枠６２に固定されることによって、枠体５０に対して固定される。図４には、嵌め殺し窓２の縦枠６２及び縦框７２付近の横断面図を示している。この図に示すように、縦框７２の外周面に対して取付金具８２がネジ止め固定され、取付金具８２の室内側に突出するように形成された室内側部８２ｂに対して固定金具８３が設けられ、固定金具８３と取付金具８２、さらに樹脂縦枠６２ｂに取付けられる受金具８４が、一体的にネジ止め固定されることで、障子５１と枠体５０を固定している。
【００２７】
図５には、取付金具８２と固定金具８３及び受金具８４の固定前における配置関係を表した斜視図を示している。取付金具８２は、縦框７２の外周面に対して当接すると共にネジ止め固定される框固定部８２ａが室外側に形成され、そこから室内側に突出するように室内側部８２ｂが形成される。室内側部８２ｂの室内端部付近には、上下方向中央部にネジ孔８２ｃが形成されてネジ８５を挿通可能としていると共に、その上下部にはそれぞれ傾斜面を有する第１傾斜面部８２ｄが形成されている。
【００２８】
固定金具８３は、断面略Ｌ字状に形成され、室外側に面する室外当接面部８３ａと、それと略直交するように形成された固定面部８３ｂとを有し、固定面部８３ｂの室内端部付近には、上下方向中央部にネジ孔８３ｃが形成されてネジ８５を挿通可能としていると共に、その上下部には第１傾斜面部８２ｄと同じ方向に傾斜した傾斜面を有する第２傾斜面部８３ｄが形成されている。
【００２９】
受金具８４は、上下部にそれぞれ縦枠６２に対して固定される枠材固定部８４ａが形成されている。またその中間部は、取付金具８２側に張り出すように形成されて金具固定部８４ｂを構成し、金具固定部８４ｂの中央部にはネジ孔８４ｃが形成されている。
【００３０】
障子５１をを枠体５０に固定する際には、まず支持アーム５２に支持された障子５１を閉じた状態とする。図６には、障子５１が開いた状態における縦枠６２と縦框７２付近の横断面図を示している。この図に示すように、障子５１が開いた状態において、予め取付金具８２を縦框７２の外周面に対して取付固定しておく。これにより、取付金具８２の室内側部８２ｂは、障子５１の室内面よりも室内側に突出した状態となる。
【００３１】
障子５１を閉じると、取付金具８２の室内側部８２ｂは、縦枠６２の溝部８０内に挿入される。図７には、障子５１が開いた状態における縦枠６２と縦框７２の斜視図を示している。この図に示すように、縦枠６２には取付金具８２の室内側部８２ｂを挿通可能な挿通孔６２ｃが形成されており、この挿通孔６２ｃを介して取付金具８２の室内側部８２ｂが溝部８０内に挿入される。
【００３２】
図８には、縦枠６２と縦框７２付近の横断面図であって、取付金具８２を溝部８０内に挿入した状態を表した図を示している。この図に示すように、取付金具８２の室内側部８２ｂが溝部８０内に挿入されたら、溝部８０の開口部側から室内側部８２ｂに対して固定金具８３を取付ける。取付金具８２の室内側部８２ｂに形成された第１傾斜面部８２ｄは、框体５３の左右方向中央側及び室外側に面する傾斜状に形成されており、またこれに取付けられる固定金具８３の第２傾斜面部８３ｄも、第１傾斜面部８２ｄと略同じ傾きで、框体５３の左右方向中央側及び室外側に面する傾斜状に形成されている。
【００３３】
図９には、縦枠６２と縦框７２付近の横断面図であって、固定金具８３を取付金具８２に取付ける途中の状態を表した図を示している。この図に示すように、固定金具８３は室外当接面部８３ａを溝部８０の室外側側壁に当接させながら、取付金具８２側に挿入される。さらに、固定金具８３のネジ孔８３ｃからネジ８５が挿入され、取付金具８２のネジ孔８２ｃを介して受金具８４のネジ孔８４ｃに対して螺合される。
【００３４】
この際、固定金具８３の第２傾斜面部８３ｄは、取付金具８２の第１傾斜面部８２ｄに対して当接する。まず最初に第２傾斜面部８３ｄの根元部が第１傾斜面部８２ｄの先端部に当接し、固定金具８３がネジ８５の螺合に伴って挿入されていくと、第２傾斜面部８３ｄの根元部が第１傾斜面部８２ｄの根元部に向かってスライドしていく。このとき、固定金具８３は、室外当接面部８３ａが常に溝部８０の室外側側壁に当接しているため、室内外方向位置が一定となるのに対し、取付金具８２は室内外方向に規制されていないので、第２傾斜面部８３ｄによって室内側に引き寄せられる。ここで、第１傾斜面部８２ｄと第２傾斜面部８３ｄは、それぞれ取付金具８２及び固定金具８３を折り曲げ加工して形成されているので、弾性を有しており、固定金具８３の挿入に伴って円滑に取付金具８２を室内側に引き寄せることができる。
【００３５】
固定金具８３の固定面部８３ｂが取付金具８２の室内側部８２ｂに当接するまでネジ８５を挿入すると、図４に示すように第１傾斜面部８２ｄと第２傾斜面部８３ｄは、根元部から先端部までが当接した状態となる。このように、取付金具８２と固定金具８３に、それぞれ框体５３の左右方向中央側及び室外側に面する傾斜状の傾斜面を有した第１傾斜面部８２ｄと第２傾斜面部８３ｄを形成したことにより、固定金具８３と取付金具８２を縦枠６２に固定された受金具８４に対してネジ止めするのに伴って、取付金具８２を室内側に引き寄せることができ、これによって取付金具８２が固定された障子５１を確実に室内側に引き寄せて強固に固定することができる。したがって、開閉窓用の支持アーム５２を有した構造でありながら、障子５１を枠体５０に対して開閉不能となるように確実に固定した嵌め殺し窓とすることができるので、水密性や気密性も充分に確保することができる。
【００３６】
以上、本発明の実施形態について説明したが、本発明の適用はこれら実施形態には限られず、その技術的思想の範囲内において様々に適用されうるものである。本実施形態の嵌め殺し窓は、縦辷り出し窓と段窓を構成するようにしたが、これには限られず、横方向に連窓を構成するようにしてもよいし、また横辷り出し窓など他の種類の開閉窓と段窓または連窓を構成するようにしてもよい。なお、横辷り出し窓など他の種類の開閉窓と段窓または連窓を構成する場合には、支持アームの構成などはそれに合わせることが望ましい。さらに、段窓や連窓ではなく、単独の窓として嵌め殺し窓を構成してもよい。
【図面の簡単な説明】
【００３７】
【図１】本実施形態における段窓の縦断面図である。
【図２】縦辷り出し窓部分の横断面図である。
【図３】嵌め殺し窓部分の横断面図である。
【図４】嵌め殺し窓の縦枠及び縦框付近の横断面図である。
【図５】取付金具と固定金具及び受金具の固定前における配置関係を表した斜視図である。
【図６】障子が開いた状態における縦枠と縦框付近の横断面図である。
【図７】障子が開いた状態における縦枠と縦框の斜視図である。
【図８】縦枠と縦框付近の横断面図であって、取付金具を溝部内に挿入した状態を表した図である。
【図９】縦枠と縦框付近の横断面図であって、固定金具を取付金具に取付ける途中の状態を表した図である。
【符号の説明】
【００３８】
１    縦辷り出し窓
２    嵌め殺し窓
３    中間枠
３ａ  金属部
３ｂ  樹脂カバー部
１０    枠体
１１    障子
１２    支持アーム
１３    框体
１４    ガラス体
１５    操作ハンドル
２０    上枠
２２    縦枠
３０    上框
３１    下框
３２    縦框
５０    枠体
５１    障子
５２    支持アーム
５３    框体
５４    ガラス体
６１    下枠
６２    縦枠
７０    上框
７１    下框
７２    縦框
８０    溝部
８１    カバー材
８２    取付金具
８２ａ  框固定部
８２ｂ  室内側部
８２ｃ  ネジ孔
８２ｄ  第１傾斜面部
８３    固定金具
８３ａ  室外当接面部
８３ｂ  固定面部
８３ｃ  ネジ孔
８３ｄ  第２傾斜面部
８４    受金具
８５    固定ネジ
【図１】
2008274687.tif 000003
【図２】
2008274687.tif 000004
【図３】
2008274687.tif 000005
【図４】
2008274687.tif 000006
【図５】
2008274687.tif 000007
【図６】
2008274687.tif 000008
【図７】
2008274687.tif 000009
【図８】
2008274687.tif 000010
【図９】
2008274687.tif 000011